(57)【要約】【課題】  美観を損ねることなく簡潔構造で戸棚ケースに収納した戸棚を前方斜め下方に移動可能とし、戸棚の中のものの取出しや収納を容易とする斜め昇降引出し式戸棚を提供することを目的とする。昇降引出装置を提供すること。【解決手段】  本発明の斜め昇降引出し式戸棚１０は、下側が開口した戸棚ケース１１と、戸棚ケース１１に収納する戸棚２１と、戸棚ケース１１の側面内側と戸棚２１の側面外側との間に設けられ、スライドローラがスライドガイドレールに沿ってスライドするローラ式スライド機構３０と、モータ駆動により戸棚２１をローラ式スライド機構３０に沿って前方斜め下方に移動する駆動機構とを備えることとした。【選択図】図１
2007244814.tif 000002
【特許請求の範囲】
【請求項１】
下側が開口した戸棚ケースと、前記戸棚ケースに収納する戸棚と、前記戸棚ケースの側面内側と前記戸棚の側面外側との間に設けられ、スライドローラがスライドガイドレールに沿ってスライドするローラ式スライド機構と、モータ駆動により前記戸棚を前記ローラ式スライド機構に沿って前方斜め下方に移動する駆動機構とを備えたことを特徴とする斜め昇降引出し式戸棚。
【請求項２】
前記ローラ式スライド機構は、前記戸棚ケースの側面内側に固定される前記スライドガイドレールと、前記スライドローラと前記スライドローラの取付板とを有し、前記戸棚の側面に固定されるスライドローラユニットとで構成され、前記スライドローラユニットが前記スライドローラによりガイドされ、前記スライドガイドレールに沿ってスライドし、前記戸棚が前記戸棚ケースより前方斜め下方に移動することを特徴とする請求項１に記載の昇降引出装置。
【発明の詳細な説明】
【技術分野】
【０００１】  本発明は、美観を損ねることなく簡潔構造で戸棚ケースに収納した戸棚を前方斜め下方に移動可能とし、戸棚の中のものの取出しや収納を容易とする斜め昇降引出し式戸棚に関する。
【背景技術】
【０００２】  従来の昇降引出し式戸棚には、戸棚ケースを台所の壁面上部などに設置し、戸棚ケースに収納した戸棚をリンク機構により戸棚ケースを前方斜め下方に移動可能にするものがある（例えば、特許文献１参照）。また、戸棚ケースに収納した戸棚を、断面コの字形状のスライドレールと、断面コの字形状のスライドレールの内部に動摺可能に取付けられたスライドレールとにより前方斜め下方に移動可能にした昇降引出し式戸棚もある（例えば、特許文献２参照）。【０００３】
【特許文献１】特開平０７−０２３８２４号公報
【特許文献２】特開２００５−０９５６１３号公報
【発明の開示】
【発明が解決しようとする課題】
【０００４】  しかしながら、従来のリンク機構により戸棚ケースに収納した戸棚を前方斜め下方に移動可能にした昇降引出し式戸棚は、リンク機構により昇降するため構造が複雑であるという問題があった。また、戸棚ケースに収納した戸棚を、断面コの字形状のスライドレールと、断面コの字形状のスライドレールの内部に動摺可能に取付けられたスライドレールとにより前方斜め下方に移動可能にした昇降引出し式戸棚は、スライドレールの内部に複数のベアリングを内装するため構造が複雑であるとともに、戸棚を前方斜め下方に移動したとき戸棚の側面にスライドレールが露出し美観を損ねるという問題があった。
本発明は、上記に鑑みてなされたものであって、美観を損ねることなく簡潔構造で戸棚ケースに収納した戸棚を前方斜め下方に移動可能とし、戸棚の中のものの取出しや収納を容易とする斜め昇降引出し式戸棚を提供することを目的とする。
【課題を解決するための手段】
【０００５】  本発明の斜め昇降引出し式戸棚は、下側が開口した戸棚ケースと、前記戸棚ケースに収納する戸棚と、前記戸棚ケースの側面内側と前記戸棚の側面外側との間に設けられ、スライドローラがスライドガイドレールに沿ってスライドするローラ式スライド機構と、モータ駆動により前記戸棚を前記ローラ式スライド機構に沿って前方斜め下方に移動する駆動機構とを備えることとした。
また、前記ローラ式スライド機構は、前記戸棚ケースの側面内側に固定される前記スライドガイドレールと、前記スライドローラと前記スライドローラの取付板とを有し、前記戸棚の側面に固定されるスライドローラユニットとで構成され、前記スライドローラユニットが前記スライドローラによりガイドされ、前記スライドガイドレールに沿ってスライドし、前記戸棚が前記戸棚ケースより前方斜め下方に移動することとした。
【発明の効果】
【０００６】  本発明の斜め昇降引出し式戸棚は、下側が開口した戸棚ケースと、前記戸棚ケースに収納する戸棚と、前記戸棚ケースの側面内側と前記戸棚の側面外側との間に設けられ、スライドローラがスライドガイドレールに沿ってスライドするローラ式スライド機構と、モータ駆動により前記戸棚を前記ローラ式スライド機構に沿って前方斜め下方に移動する駆動機構とを備えることとしたため、ローラ式スライド機構は、戸棚の側面には露出しないため美観を損ねることはなく簡潔構造で戸棚ケースに収納した戸棚を斜め前方下方に移動可能とし、戸棚の中のものの取出しや収納を容易とすることができる。
また、前記ローラ式スライド機構は、前記戸棚ケースの側面内側に固定される前記スライドガイドレールと、前記スライドローラと前記スライドローラの取付板とを有し、前記戸棚の側面に固定されるスライドローラユニットとで構成され、前記スライドローラユニットが前記スライドローラによりガイドされ、前記スライドガイドレールに沿ってスライドし、前記戸棚が前記戸棚ケースより前方斜め下方に移動することとしたため、戸棚は戸棚ケースより前方斜め下方により円滑に移動することができる。
【発明を実施するための最良の形態】
【０００７】  以下、本発明の実施の形態の昇降引出装置につき説明する。
【実施例１】
【０００８】  図１は、本発明の実施の形態の斜め昇降引出し式戸棚の斜視図を示し、図１（ａ）は、斜め昇降引出し式戸棚が壁面に取付けられたときの斜視図を示し、図１（ｂ）は、斜め昇降引出し式戸棚に収納された戸棚が前方斜め下方に引出されたときの斜視図を示す。
図１に示すように、本発明の実施の形態の斜め昇降引出し式戸棚１０は、下方に流し台などが設置された壁面の上方に取付けられるもので、下側が開口した戸棚ケース１１と、戸棚ケース１１に収納され、前方斜め下方にスライド可能の戸棚２１と、戸棚ケース１１の側面内側と戸棚２１の側面外側との間に設けられたローラ式スライド機構３０と、モータ駆動により戸棚２１をローラ式スライド機構３０に沿って前方斜め下方にスライド移動する駆動機構５０（図４参照）とで構成されている。【０００９】  図１（ａ）に示すように、戸棚ケース１１は、通常は閉じているが、戸棚２１が前方斜め下方にスライド移動したとき開く開閉扉１２が設けられている。
図１（ｂ）に示すように、戸棚ケース１１の側面内側と戸棚２１の側面外側との間にはローラ式スライド機構３０が設けられている。このローラ式スライド機構３０は、戸棚２１の両側面に設けられ、戸棚２１は矢印Ｄに示すようにローラ式スライド機構３０により前方斜め下方に引出されることができる。戸棚２１が矢印Ｄに示すように前方斜め下方に引出されたときには、開閉扉１２は、戸棚２１の上端で前方への開口力が与えられ開口する。【００１０】  図２は、本発明の実施の形態の斜め昇降引出し式戸棚に取付けられるローラ式スライド機構の側面図を示し、図２（ａ）は、戸棚が戸棚ケースに収納されているときの側面図を示し、図２（ｂ）は、戸棚が戸棚ケースより前方斜め下方に引出されたときの側面図を示す。【００１１】  図２（ａ）に示すように、ローラ式スライド機構３０は、戸棚ケース１１の側面内側に固定されるスライドガイドレール３１と、スライドローラ３４とスライドローラの取付板３３とを有し、戸棚２１の側面に固定されるスライドローラユニット３２とで構成され、スライドローラユニット３２がスライドローラ３４によりガイドされ、スライドガイドレール３１に沿ってスライドすることによって、戸棚２１が戸棚ケース１１より前方斜め下方に移動ことができる。
図２（ｂ）に示すように、戸棚２１は、スライドローラユニット３２により、戸棚ケース１１より前方斜め下方に移動することができる。このとき開閉扉１２は開口する。【００１２】  図３は、ローラ式スライド機構のスライドローラユニットとスライドガイドレールとの斜視図を示し、図２（ａ）は、スライドローラユニットの斜視図を示し、図２（ｂ）は、スライドガイドレールの斜視図を示す。【００１３】  図３（ａ）に示すように、スライドローラユニット３２は、戸棚２１（図２参照）の側面上部に固定されるスライドローラの取付板３３と、スライドローラの取付板３３に所定の間隔で取付けられる一対のスライドローラ３４ａ、３４ｂと、スライドローラ３４ａ、３４ｂの斜め下方に所定の間隔で取付けられる一対のスライドローラ３４ｃ、３４ｄとで構成されている。
図３（ｂ）に示すように、スライドガイドレール３１は、断面がＬ字形状をし、ガイドレール部３１ａと固定部３１ｂとで形成されている。固定部３１ｂは、戸棚ケース１１（図２参照）の側面内側に固定され、ガイドレール部３１ａは、矢印Ｐに示すように、一対のスライドローラ３４ａ、３４ｂの隙間Ｓと、一対のスライドローラ３４ｃ、３４ｄの隙間Ｓに挿入される。隙間Ｓは、ガイドレール部３１ｂが一対のスライドローラ３４ａ、３４ｂのいずれかに接する隙間に設定され、一対のスライドローラ３４ｃ、３４ｄについても同様に設定されている。そのため、スライドローラユニット３２は、スライドガイドレール３１に沿って円滑にスライドすることができる。【００１４】  図４は、本発明の実施の形態の斜め昇降引出し式戸棚に取付けられる駆動機構の斜視図を示す。
図４に示すように、駆動機構５０は、図１に示す戸棚ケース１１の内側上部の前面側Ｆの中央に駆動モータ５１が取付けられ、駆動モータ５１は、ＤＣモータ５１ａと、ＤＣモータ５１ａの回転数を減速しトルクを増大する減速器５１ｂとにより構成され、減速器５１ｂに回転軸５８が連結している。一方の回転軸５８ａには巻取りローラ５２が取付けられ、ガイドローラ５３が戸棚２１の上部に取付けられ、戸棚ケース１１の上部内側にベルト係止ピン５４が取付けられている。
ベルト４１は、巻取りローラ５２に一方の端部が固定され、ガイドローラ５３で折返されて他方の端部がベルト係止ピン５４に固定されている。他方の回転軸５８ｂも同様にベルトが取付けられている。
駆動モータ５１は、上昇スイッチ５９ａと下降スイッチ５９ｂとを有する壁面などに設けられる操作スイッチ５９に接続し、上昇スイッチ５９ａが操作されると正転作動し、巻取りローラ５２がベルト４１を巻き付け、下降スイッチ５９ｂが操作されると逆転作動し、巻取りローラ５２を逆転回動させ巻取りローラ５２に巻かれているベルト４１は巻きが解かれる。そのため、操作スイッチ５９が操作され、駆動モータ５１が駆動して回転軸５８が回動すると、巻取りローラ５２によりベルト４１の巻取り巻戻が行われ、ローラ式スライド機構３０により戸棚２１を斜め方向に昇降することができる。【００１５】  次に、本発明の実施の形態の斜め昇降引出し式戸棚１０の動作につき説明する。
図４に示すように、操作スイッチ５９の上昇スイッチ５９ａが操作されたときには、駆動モータ５１が作動して巻取りローラ５２が矢印Ｕに示すように回動し、巻取りローラ５２に一方の端部が固定されガイドローラ５３に掛けられ、ベルト係止ピン５４で他方の端部が固定されたベルト４１が巻き上げられて戸棚２１は上昇し、戸棚ケース１１に収納されている。
図４に示すように、操作スイッチ５９の下降スイッチ５９ｂが操作されたときには、駆動モータ５１が作動して巻取りローラ５２が矢印Ｄに示すように回動し、ベルト４１が巻き戻されて緩められると、戸棚２１は、図２に示すローラ式スライド機構３０により前方斜め下方に移動することができる。【００１６】  図５は、本発明の実施の形態の斜め昇降引出し式戸棚に取付けられる他の実施例のローラ式スライド機構の側面図を示す。
図５は、戸棚２１が戸棚ケース１１に収納されているときの他の実施例のローラ式スライド機構６０の側面図を示し、ローラ式スライド機構６０は、戸棚ケース１１の側面内側に固定されるスライドガイドレール３１と、スライドローラ６４ｂ、６４ｃがスライドローラの取付板６３に取付けられ、戸棚２１の側面上部に固定されるスライドローラユニット６２とで構成されている。スライドローラユニット６２は、スライドローラ６４ｂ、６４ｃがスライドガイドレール３１を挟み対峙して配置されており、スライドローラ６４ｂ、６４ｃでガイド機能を有しており、より簡潔構造を重視するものとして使用することができる。【００１７】  図６は、本発明の実施の形態の斜め昇降引出し式戸棚に取付けられる横揺れ防止機構の平面図を示す。
図６に示すように、横揺れ防止機構７０は、断面がＨ字形状をし、戸棚ケース１１に固定されたスライドガイドレール７１と、スライドローラの取付板３３に固定されたブラケット７２に回転自在に取付けられた横揺れ防止ローラ７３とで構成されている。スライドローラの取付板３３は、戸棚２１に取付けられている。横揺れ防止機構７０は、戸棚２１の反対側の側面にも取付けられており、戸棚２１は、昇降時には横揺れ防止ローラ７３がスライドガイドレール７１の内側に沿って回動し、横揺れの防止が行われる。【００１８】  図７は、本発明の実施の形態の斜め昇降引出し式戸棚に取付けられる他の横揺れ防止機構の平面図を示す。
図７に示すように、他の横揺れ防止機構８０は、断面がＨ字形状をし、戸棚ケース１１に固定されたスライドガイドレール８１と、スライドローラの取付板３３に回転自在に取付けられたスライドローラ３４とで構成され、スライドローラの取付板３３は、戸棚２１に取付けられている。横揺れ防止機構８０は、戸棚２１の反対側の側面にも取付けられており、戸棚２１は、昇降時にはスライドローラ３４の側面がスライドガイドレール８１の内側に接しながら回動して移動するため、横揺れの防止が行われる。【００１９】  以上述べたように、本発明の実施の形態の斜め昇降引出し式戸棚１０は、図２に示すローラ式スライド機構３０により、美観を損ねることなく簡潔構造で前方斜め下方に戸棚２１を移動することができる。また、前方斜め下方に戸棚２１を移動することにより、車椅子に載った身体障害者や背の低い子供などでも戸棚の中のものの取出しや収納を容易とすることができる。【００２０】  なお、本発明の実施の形態の斜め昇降引出し式戸棚は、流し台の上方に設けられる例につき説明したが、これに限定することなく、他の棚類についても同様のことを行うことができる。
また、スライドガイドレール３１は、断面がＬ字形状をした例につき説明したが、これに限定することなく、断面をＴ字形状などにもすることもできる。
また、ベルト４１は、巻取りローラ５２に一方の端部が固定され、ガイドローラ５３で折返されて他方の端部がベルト係止ピン５４に固定される例につき説明したが、これに限定することなく、ガイドローラ５３に掛けられてから、さらに戸棚ケース１１の上部内側に取付けられるガイドローラに掛けられ、他方の端部が戸棚２１の上部に取付けられるベルト係止ピンに固定されるようにすることもできる。
さらに、本発明の実施の形態の斜め昇降引出し式戸棚は、駆動機構５０にベルトを使用することとしたが、ワイヤなどを使用することもでき、他の駆動機構を使用することもできる。
【図面の簡単な説明】
【００２１】
【図１】  本発明の実施の形態の斜め昇降引出し式戸棚の斜視図を示し、図１（ａ）は、斜め昇降引出し式戸棚が壁面に取付けられたときの斜視図を示し、図１（ｂ）は、斜め昇降引出し式戸棚に収納された戸棚が前方斜め下方に引出されたときの斜視図を示す。
【図２】  本発明の実施の形態の斜め昇降引出し式戸棚に取付けられたローラ式スライド機構の側面図を示し、図２（ａ）は、戸棚が戸棚ケースに収納されているときの側面図を示し、図２（ｂ）は、戸棚が戸棚ケースより前方斜め下方に引出されたときの側面図を示す。
【図３】  ローラ式スライド機構のスライドローラユニットとスライドガイドレールとの斜視図を示し、図２（ａ）は、スライドローラユニットの斜視図を示し、図２（ｂ）は、スライドガイドレールの斜視図を示す。
【図４】  本発明の実施の形態の斜め昇降引出し式戸棚に取付けられる駆動機構の斜視図を示す。
【図５】  本発明の実施の形態の斜め昇降引出し式戸棚に取付けられる他の実施例のローラ式スライド機構の側面図を示す。
【図６】  本発明の実施の形態の斜め昇降引出し式戸棚に取付けられる横揺れ防止機構の平面図を示す。
【図７】  本発明の実施の形態の斜め昇降引出し式戸棚に取付けられる他の横揺れ防止機構の平面図を示す。
【符号の説明】
【００２２】１０  斜め昇降引出し式戸棚
１１  戸棚ケース
２１  戸棚
３０、６０  ローラ式スライド機構
３１、７１、８１  スライドガイドレール
３１ａ  固定部
３１ｂ  ガイドレール部
３４  スライドローラ
３２、６２  スライドローラユニット
３３、６３  スライドローラの取付板
４１  ベルト
５０  駆動機構
５１  駆動モータ
５２  巻取りローラ
５３  ガイドローラ
５４  ベルト係止ピン
５８  回転軸
５９  操作スイッチ
７０、８０  横揺れ防止機構
７３  横揺れ防止ローラ
【図１】
2007244814.tif 000003
【図２】
2007244814.tif 000004
【図３】
2007244814.tif 000005
【図４】
2007244814.tif 000006
【図５】
2007244814.tif 000007
【図６】
2007244814.tif 000008
【図７】
2007244814.tif 000009